(57)【要約】【課題】ＰＯＳレジスタが買上情報の登録処理を行う際に、ラベルが貼付された商品がどのような理由で値引きされたのかを登録することができるラベルを発行する。【解決手段】操作部１５は、値引情報と値引理由の入力を受け付ける。ラベル印字機構部１７は、商品を一意に特定する特定情報と、操作部１５が入力を受け付けた値引情報と値引理由とを含むバーコードを印字したラベルを発行する。【選択図】図２
2013228816.tif 000002
【特許請求の範囲】
【請求項１】
値引情報と値引理由の入力を受け付ける入力部と、
商品を一意に特定する特定情報と、前記入力部が入力を受け付けた前記値引情報と前記値引理由とを含むバーコードを印字したラベルを発行する印字部と、
を備えることを特徴とするラベル発行装置。
【請求項２】
商品に付されたバーコードを読み取るバーコード読み取り部
を備え、
前記印字部は、前記バーコード読み取り部が読み取ったバーコードに含まれる前記商品を一意に特定する特定情報と、前記入力部が入力を受け付けた前記値引情報と前記値引理由とを含むバーコードを印字したラベルを発行する
ことを特徴とする請求項１に記載のラベル発行装置。
【請求項３】
前記印字部が発行する前記ラベルは、前記値引情報と前記バーコードとを印字した値引ラベルである
ことを特徴とする請求項１または請求項２に記載のラベル発行装置。
【請求項４】
前記印字部が発行する前記ラベルは、前記商品の情報を示す商品情報と、前記値引情報と、前記バーコードとを印字した商品ラベルである
ことを特徴とする請求項１または請求項２に記載のラベル発行装置。
【請求項５】
商品に付されたバーコードを読み取る第１の読み取り部と、
値引情報と値引理由の入力を受け付ける入力部と、
前記第１の読み取り部が読み取ったバーコードに含まれる前記商品を一意に特定する特定情報と、前記入力部が入力を受け付けた前記値引情報と前記値引理由とを含むバーコードを印字したラベルを発行する印字部と、
を備えるラベル発行装置と、
前記ラベルに印字されている前記バーコードを読み取る第２の読み取り部と、
前記ラベルが付された前記商品の買上情報の登録処理を行い、前記第２の読み取り部が読み取った前記バーコードに含まれる前記値引情報と前記値引理由とを当該買上情報に含める登録部と、
を備えるＰＯＳレジスタと、
を含むことを特徴とする販売管理システム。
【請求項６】
商品に付されたバーコードを読み取る第１の読み取りステップと、
値引情報と値引理由の入力を受け付ける入力ステップと、
前記第１の読み取りステップで読み取ったバーコードに含まれる前記商品を一意に特定する特定情報と、前記入力ステップで入力を受け付けた前記値引情報と前記値引理由とを含むバーコードを印字したラベルを発行する印字ステップと、
前記ラベルに印字されている前記バーコードを読み取る第２の読み取りステップと、
前記ラベルが付された前記商品の買上情報の登録処理を行い、前記第２の読み取り部が読み取った前記バーコードに含まれる前記値引情報と前記値引理由とを当該買上情報に含める登録ステップと、
を含むことを特徴とする販売管理方法。
【発明の詳細な説明】
【技術分野】
【０００１】
本発明は、ラベル発行装置、販売管理システムおよび販売管理方法に関する。
【背景技術】
【０００２】
従来、値引率や、値引額や、値引後価格を含むバーコードを印字した値引ラベルを発行するラベル発行装置が知られている。また、値引ラベルを発行する際に、値下げ区分理由をホストコンピュータに送信するラベル発行装置が知られている（例えば、特許文献１および特許文献２参照）。
【先行技術文献】
【特許文献】
【０００３】
【特許文献１】特許第３４１５１９４号公報
【特許文献１】特開２０１０−１９８８２８４号公報
【発明の概要】
【発明が解決しようとする課題】
【０００４】
しかしながら、従来知られているラベル発行装置が発行する値引ラベルには、値引率や、値引額や、値引後価格しか含まれていない。そのため、ＰＯＳレジスタは、買上情報の登録処理を行う際に、値引ラベルのバーコードを読み取るだけでは値引ラベルが貼付された商品がどのような理由で値引きされたのか登録することができないという問題があった。
【０００５】
本発明は上記の点に鑑みてなされたものであり、ＰＯＳレジスタが買上情報の登録処理を行う際に、ラベルが貼付された商品がどのような理由で値引きされたのかを登録することができるラベルを発行することができるラベル発行装置、ラベル発行方法およびＰＯＳシステムを提供することを目的とする。
【課題を解決するための手段】
【０００６】
本発明は、値引情報と値引理由の入力を受け付ける入力部と、商品を一意に特定する特定情報と、前記入力部が入力を受け付けた前記値引情報と前記値引理由とを含むバーコードを印字したラベルを発行する印字部と、を備えることを特徴とするラベル発行装置である。
【０００７】
また、本発明は、商品に付されたバーコードを読み取るバーコード読み取り部を備え、前記印字部は、前記バーコード読み取り部が読み取ったバーコードに含まれる前記商品を一意に特定する特定情報と、前記入力部が入力を受け付けた前記値引情報と前記値引理由とを含むバーコードを印字したラベルを発行することを特徴とするラベル発行装置である。
【０００８】
また、本発明のラベル発行装置において、前記印字部が発行する前記ラベルは、前記値引情報と前記バーコードとを印字した値引ラベルであることを特徴とする。
【０００９】
また、本発明のラベル発行装置において、前記印字部が発行する前記ラベルは、前記商品の情報を示す商品情報と、前記値引情報と、前記バーコードとを印字した商品ラベルであることを特徴とする。
【００１０】
また、本発明は、商品に付されたバーコードを読み取る第１の読み取り部と、値引情報と値引理由の入力を受け付ける入力部と、前記第１の読み取り部が読み取ったバーコードに含まれる前記商品を一意に特定する特定情報と、前記入力部が入力を受け付けた前記値引情報と前記値引理由とを含むバーコードを印字したラベルを発行する印字部と、を備えるラベル発行装置と、前記ラベルに印字されている前記バーコードを読み取る第２の読み取り部と、前記ラベルが付された前記商品の買上情報の登録処理を行い、前記第２の読み取り部が読み取った前記バーコードに含まれる前記値引情報と前記値引理由とを当該買上情報に含める登録部と、を備えるＰＯＳレジスタと、を含むことを特徴とする販売管理システムである。
【００１１】
また、本発明は、商品に付されたバーコードを読み取る第１の読み取りステップと、値引情報と値引理由の入力を受け付ける入力ステップと、前記第１の読み取りステップで読み取ったバーコードに含まれる前記商品を一意に特定する特定情報と、前記入力ステップで入力を受け付けた前記値引情報と前記値引理由とを含むバーコードを印字したラベルを発行する印字ステップと、前記ラベルに印字されている前記バーコードを読み取る第２の読み取りステップと、前記ラベルが付された前記商品の買上情報の登録処理を行い、前記第２の読み取り部が読み取った前記バーコードに含まれる前記値引情報と前記値引理由とを当該買上情報に含める登録ステップと、を含むことを特徴とする販売管理方法である。
【発明の効果】
【００１２】
本発明によれば、入力部は値引情報と値引理由の入力を受け付ける。また、印字部は、商品を一意に特定する特定情報と、入力部が入力を受け付けた値引情報と値引理由とを含むバーコードを印字したラベルを発行する。これにより、ＰＯＳレジスタは、買上情報の登録処理を行う際に、ラベルに印字されたバーコードを読み取ることで値引理由を取得することができるため、ラベルが貼付された商品がどのような理由で値引きされたのかを登録することができる。
【図面の簡単な説明】
【００１３】
【図１】本発明の一実施形態における販売管理システムの全体構成を示すブロック図である。
【図２】本実施形態におけるラベルプリンタの構成を示したブロック図である。
【図３】本実施形態におけるラベルプリンタの外観を示す正面図である。
【図４】本実施形態におけるＰＯＳレジスタの構成を示したブロック図である。
【図５】本実施形態における商品ファイルのデータ構造を示した概略図である。
【図６】本実施形態における値引理由区分ファイルのデータ構造を示した概略図である。
【図７】本実施形態におけるラベルプリンタが発行する値引ラベルを示した概略図である。
【図８】本実施形態におけるラベルプリンタの値引ラベル発行処理手順を示したフローチャートである。
【図９】本実施形態におけるＰＯＳレジスタの買上情報登録処理手順を示したフローチャートである。
【図１０】本実施形態における値引コードを含んだ商品ラベルを示した概略図である。
【発明を実施するための形態】
【００１４】
本発明の一実施形態について図面を参照して詳細に説明する。図１は本実施形態における販売管理システムの全体構成を示すブロック図である。本実施形態による販売管理システム１０は、ラベルプリンタ１（ラベル発行装置）と、複数台のＰＯＳレジスタ２と、ファイル管理装置３とを備えている。ラベルプリンタ１は、バーコードを印字したラベルを発行する。ＰＯＳレジスタ２は、商品等に付いているバーコードを読み取り、買上情報の登録処理および精算処理を行う。ファイル管理装置３は、ＰＯＳレジスタ２が登録した買上情報などを管理する。なお、ラベルプリンタ１と、ＰＯＳレジスタ２と、ファイル管理装置３とは、通信回線４（例えば、ＬＡＮ（Ｌｏｃａｌ  Ａｒｅａ  Ｎｅｔｗｏｒｋ））によって通信可能に接続されている。
【００１５】
次に、ラベルプリンタ１の構成について説明する。図２は、本実施形態におけるラベルプリンタ１の構成を示したブロック図である。図示する例では、ラベルプリンタ１は、ＣＰＵ（中央処理装置）１１と、ＲＯＭ（リードオンリーメモリ）１２と、ＲＡＭ（ランダムアクセスメモリ）１３と、表示部１４と、操作部１５（入力部）と、印字制御部１６と、ラベル印字機構部１７（印字部）と、通信部１８と、バーコード読み取り部１９（第１の読み取り部）とを備えている。
【００１６】
ＣＰＵ１１は、ＲＯＭ１２が記憶するプログラムを読み出し、プログラムに基づいてラベルプリンタ１が備える各部を制御する。ＲＯＭ１２は、ＣＰＵ１１が実行する各種プログラムを記憶している。ＲＡＭ１３は、ラベルに印字する情報を設定するために使用される商品ファイルや、値引理由を特定するために使用される値引理由区分ファイルなどを記憶する。商品ファイルと値引理由区分ファイルの詳細については後述する。
【００１７】
表示部１４は、例えばタッチパネル式の液晶ディスプレイであり、文字や図形を表示する。また、表示部１４は、タッチパネルによりオペレータからの入力を受け付ける。印字制御部１６は、商品ファイルなどの情報に基づいてラベルの印字制御を行う。ラベル印字機構部１７は、任意の文字や、数字や、画像等をドット単位でラベルに印字を行う。通信部１８は、図１に示したＰＯＳレジスタ２やファイル管理装置３などの外部装置と通信回線４を介して通信を行う。バーコード読み取り部１９は、商品等に付されているバーコードを読み取る。
【００１８】
次に、ラベルプリンタ１の外観について説明する。図３は、本実施形態におけるラベルプリンタ１の外観を示す正面図である。ラベルプリンタ１の正面には、表示部１４と、操作部１５と、ラベル発行口１９０とが配置されている。上述した通り、表示部１４はタッチパネル式の液晶ディスプレイであり、液晶表示器の上面にタッチパネルが積層された構造をしている。オペレータは、タッチパネルを操作することにより、ラベルプリンタ１に対して各種入力を行うことができる。操作部１５は、数字キーや、ラベルフィードキーや、クリアキーや、発行キーなどを備えている。ラベル発行口１９０は、ラベル印字機構部１７が発行したラベルを排出する。
【００１９】
次に、ＰＯＳレジスタ２の構成について説明する。図４は、本実施形態におけるＰＯＳレジスタ２の構成を示したブロック図である。図示する例では、ＰＯＳレジスタ２は、ＣＰＵ２０１（登録部）と、ＨＤＤ（ハードディスク）２０２と、ＲＡＭ２０３と、印字部２０４と、液晶タッチパネル２０５と、カードリーダ２０６と、客用表示器２０７と、ドロア２０８と、入力キー２０９と、時計２１０と、ブザー２１１と、通信部２１２と、バーコード読み取り部２１３（第２の読み取り部）とを備える。
【００２０】
ＣＰＵ２０１は、ＰＯＳレジスタ２が備える各部の制御を行う。また、ＣＰＵ２０１は、登録部として動作し、顧客が買い上げる商品を買上情報として登録する処理を行う。ＨＤＤ２０２はＣＰＵ２０１が実行するプログラムや、商品ファイルや、値引理由区分ファイルなどの各種ファイルデータを記憶する。ＲＡＭ２０３は、ＣＰＵ２０１が処理を行う際に用いるデータを一時記憶する。印字部２０４は、例えばジャーナルプリンタであり、レシートを発行する。液晶タッチパネル２０５は、店員側表示器であり、液晶表示器の表示面には透明な接点スイッチであるタッチキーが設けられている。液晶タッチパネル２０５は、モード切替や、設定や、登録などの操作の入力を受け付ける。また、液晶タッチパネル２０５は表示を行う。
【００２１】
カードリーダ２０６は、カードに記憶された情報を読み取る。客用表示器２０７は、７セグメント表示器などからなり、顧客に対して品名や値段の表示を行う。ドロア２０８は、現金などを収納する。入力キー２０９は、テンキーや、登録用ファンクションキーや、小計キーや、現計キーなどを備える。時計２１０は時刻を出力する。ブザー２１１は音声を出力する。通信部２１２は、図１に示した通信回線４を介して、ラベルプリンタ１やファイル管理装置３などの外部装置と通信を行う。バーコード読み取り部２１３は、商品に付されているバーコードやラベルに印字されているバーコードを読み取る。
【００２２】
次に、ラベルプリンタ１のＲＡＭ１３と、ＰＯＳレジスタ２のＨＤＤ２０２とが記憶する商品ファイルについて説明する。なお、ラベルプリンタ１のＲＡＭ１３と、ＰＯＳレジスタ２のＨＤＤ２０２とは同一の商品ファイルを記憶している。図５は、本実施形態における商品ファイルのデータ構造を示した概略図である。商品ファイルは、「商品番号」と、「ＪＡＮコード」と、「品名」と、「値段」とのデータ項目を有しており、各データ項目のデータを行毎に関連付けて記憶する。
【００２３】
データ項目「商品番号」は、商品ファイルに記憶されている商品を一意に特定する番号を記憶する。データ項目「ＪＡＮコード」は日本国内で共通に用いられている商品を一意に特定する情報（ＪＡＮコード）を記憶する。データ項目「品名」は、同一の行に記憶されている「ＪＡＮコード」で一意に特定される商品の名称を記憶する。データ項目「価格」は、同一の行に記憶されている「ＪＡＮコード」で一意に特定される商品の価格を記憶する。
【００２４】
図示する例では、行１０１のデータ項目「商品番号」に記憶されている値が「０００１」であり、データ項目「ＪＡＮコード」に記憶されている値が「４９０１２３４５０１２３４５９」であり、データ項目「品名」に記憶されている値が「○○牛乳」であり、データ項目「価格」に記憶されている値が「１９８」である。これは、ＪＡＮコード「４９０１２３４５０１２３４５９」で特定される商品の商品番号は「０００１」であり、ＪＡＮコード「０２５０３９８９１５１３８」で特定される商品の品名は「○○牛乳」であり、ＪＡＮコード「４９０１２３４５０１２３４５９」で特定される商品の価格は「１９８円」であることを示している。なお、他の行については図示するとおりである。
【００２５】
次に、ラベルプリンタ１のＲＡＭ１３と、ＰＯＳレジスタ２のＨＤＤ２０２とが記憶する値引理由区分ファイルについて説明する。なお、ラベルプリンタ１のＲＡＭ１３と、ＰＯＳレジスタ２のＨＤＤ２０２とは同一の値引理由区分ファイルを記憶している。図６は、本実施形態における値引理由区分ファイルのデータ構造を示した概略図である。値引理由区分ファイルは、「値引コード」と、「値引理由」とのデータ項目を有しており、各データ項目のデータを行毎に関連付けて記憶する。
【００２６】
データ項目「値引コード」は、値引理由を一意に特定する番号を記憶する。データ項目「値引理由」は、値引理由を記憶する。図示する例では、行２０１のデータ項目「値引コード」に記憶されている値が「１」であり、データ項目「値引理由」に記憶されている値が「見切り品」である。これは、値引コード「１」で特定される値引理由は「見切り品」であることを示している。なお、他の行については図示するとおりである。
【００２７】
次に、ラベルプリンタ１が発行する値引ラベルについて説明する。図７は、本実施形態におけるラベルプリンタ１が発行する値引ラベルを示した概略図である。図示する例では、値引ラベル６０の上段に値引情報６１として「１０％引」が印字されており、値引ラベル６０の下段にバーコード６２が印字されている。本実施形態では、バーコード６２には、ＪＡＮコードと、値引コードと、値引情報とを示す情報が含まれている。なお、図示する例では、値引情報として値引率が示されているが、これに限らず、値引情報は、値引額や値引後価格など、値引を示す情報であればどのような情報でもよい。
【００２８】
次に、ラベルプリンタ１が値引ラベルを発行する値引ラベル発行処理について説明する。図８は、本実施形態におけるラベルプリンタ１の値引ラベル発行処理手順を示したフローチャートである。
（ステップＳ１０１）オペレータは、値引ラベルを発行する場合、値引対象の商品に付されているバーコードをバーコード読み取り部１９に読み取らせる。バーコード読み取り部１９は、バーコードを読み取る。その後、ステップＳ１０２の処理に進む。
【００２９】
（ステップＳ１０２）ＣＰＵ１１は、ステップＳ１０１の処理でバーコード読み取り部１９が読み取ったバーコードに含まれているＪＡＮコードを取得する。その後、ステップＳ１０３の処理に進む。
（ステップＳ１０３）オペレータは、表示部１４のタッチパネルや操作部１５のキーを用いて、値引情報をラベルプリンタ１に入力する。ＣＰＵ１１は、表示部１４のタッチパネルや操作部１５のキーが入力を受け付けた値引情報を取得する。その後、ステップＳ１０４の処理に進む。
【００３０】
（ステップＳ１０４）ＣＰＵ１１は、ＲＡＭ１３が記憶する値引理由区分ファイルのデータ項目「値引理由」に記憶されている値引理由を一覧として表示部１４に表示させる。その後、ステップＳ１０５の処理に進む。
（ステップＳ１０５）オペレータは、表示部１４に表示されている値引理由の一覧のうち、今回発行する値引ラベルの値引理由に該当する値引理由を選択する。ＣＰＵ１１は、ＲＡＭ１３が記憶する値引理由区分ファイルから、表示部１４のタッチパネルが受け付けた値引理由に関連付けられている「値引コード」を取得する。その後、ステップＳ１０６の処理に進む。
【００３１】
（ステップＳ１０６）オペレータは、表示部１４のタッチパネルや操作部１５のキーを用いて、値引ラベルの発行枚数をラベルプリンタ１に入力する。ＣＰＵ１１は、表示部１４のタッチパネルや操作部１５のキーが入力を受け付けた発行枚数を取得する。その後、ステップＳ１０７の処理に進む。
【００３２】
（ステップＳ１０７）ＣＰＵ１１は、値引ラベルの発行を確定するか否かの選択肢として「発行」と「キャンセル」とのボタンを表示部１４のタッチパネルに表示させる。オペレータは、値引ラベルの発行を確定する場合には表示部１４のタッチパネルに表示されている「発行」ボタンを選択し、値引ラベルの発行をキャンセルする場合には表示部１４のタッチパネルに表示されている「キャンセル」ボタンを選択する。ＣＰＵ１１は、表示部１４のタッチパネルが「発行」の選択を受け付けた場合にはステップＳ１０８の処理に進み、表示部１４のタッチパネルが「キャンセル」の選択を受け付けた場合にはステップＳ１０１の処理に戻る。
【００３３】
（ステップＳ１０８）ＣＰＵ１１は、ステップＳ１０２の処理で取得した「ＪＡＮコード」と、ステップＳ１０３の処理で取得した「値引情報」と、ステップＳ１０５の処理で取得した「値引コード」とを含んだバーコードデータを生成する。その後、ステップＳ１０９の処理に進む。
（ステップＳ１０９）ＣＰＵ１１は、印字制御部１６を制御し、ステップＳ１０３の処理で取得した値引情報をラベルの上段に印字し、ステップＳ１０８の処理で生成したバーコードデータに基づいたバーコードをラベルの下段に印字した値引ラベルを、ステップＳ１０６の処理で取得した発行枚数分ラベル印字機構部１７に発行させる。その後、処理を終了する。
【００３４】
次に、ＰＯＳレジスタ２の買上情報の登録処理について説明する。図９は、本実施形態におけるＰＯＳレジスタ２の買上情報登録処理手順を示したフローチャートである。
（ステップＳ２０１）オペレータは、精算対象の商品に付されているバーコードを読み取らせる。このとき、精算対象の商品に値引ラベルが貼られている場合、値引ラベルに印字されているバーコードを読み取らせる。ＰＯＳレジスタ２のバーコード読み取り部２１３は、バーコードを読み取る。その後、ステップＳ２０２の処理に進む。
【００３５】
（ステップＳ２０２）ＣＰＵ２０１は、ステップＳ２０１の処理でバーコード読み取り部２１３が読み取ったバーコードに、値引コードが含まれているか否かを判定する。値引コードが含まれていると判定した場合にはステップＳ２０３の処理に進み、それ以外の場合にはステップＳ２０７の処理に進む。
【００３６】
（ステップＳ２０３）ＣＰＵ２０１は、ステップＳ２０１の処理でバーコード読み取り部１９が読み取ったバーコードに含まれているＪＡＮコードと、値引情報と、値引コードとを取得する。その後、ステップＳ２０４の処理に進む。
（ステップＳ２０４）ＣＰＵ２０１は、ＨＤＤ２０２が記憶する商品ファイルから、ステップＳ２０３の処理で取得した「ＪＡＮコード」に関連付けられている「価格」を取得する。その後、ステップＳ２０５の処理に進む。
【００３７】
（ステップＳ２０５）ＣＰＵ２０１は、ステップＳ２０４で取得した「価格」から、ステップＳ２０３で取得した値引情報に基づいて値引きした価格を算出する。その後、ステップＳ２０６の処理に進む。
（ステップＳ２０６）ＣＰＵ２０１は、ステップＳ２０３の処理で取得した「ＪＡＮコード」と、「値引情報」と、「値引コード」と、ステップＳ２０５の処理で算出した「価格」とを関連付けて買上情報としてＲＡＭ１３に記憶させる。その後、ステップＳ２１０の処理に進む。
【００３８】
（ステップＳ２０７）ＣＰＵ２０１は、ステップＳ２０１の処理でバーコード読み取り部１９が読み取ったバーコードに含まれているＪＡＮコードを取得する。その後、ステップＳ２０８の処理に進む。
（ステップＳ２０８）ＣＰＵ２０１は、ＨＤＤ２０２が記憶する商品ファイルから、ステップＳ２０３の処理で取得した「ＪＡＮコード」に関連付けられている「価格」を取得する。その後、ステップＳ２０９の処理に進む。
（ステップＳ２０９）ＣＰＵ２０１は、ステップＳ２０３の処理で取得した「ＪＡＮコード」と、ステップＳ２０８の処理で算出した「価格」とを関連付けて買上情報としてＲＡＭ１３に記憶させる。その後、ステップＳ２１０の処理に進む。
【００３９】
（ステップＳ２１０）オペレータは、全ての商品の登録が完了した場合、入力キー２０９が備える「現計キー」を押下する。ＣＰＵ２０１は、入力キー２０９が備える「現計キー」が押下されたか否かを判定する。「現計キー」が押下されたと判定した場合にはステップＳ２１１の処理に進み、それ以外の場合にはステップＳ２０１の処理に戻る。
【００４０】
（ステップＳ２１１）ＣＰＵ２０１は、ＲＡＭ１３に記憶させた買上情報に基づいて、精算処理を行う。その後、ステップＳ２１２の処理に進む。
（ステップＳ２１２）ＣＰＵ２０１は、ＲＡＭ１３に記憶させた買上情報を一取引の買上情報としてＨＤＤ２０２に記録させる。その後、ＣＰＵ２０１は、ＲＡＭ１３に記憶させた買上情報を消去し、処理を終了する。
【００４１】
上述した通り、本実施形態では、ラベルプリンタ１は、値引ラベルを発行する場合、値引ラベルに印字するバーコードに値引理由を一意に特定する値引コードを含める。これにより、ラベルプリンタ１は、ＰＯＳレジスタが買上情報の登録処理を行う際に、値引ラベルが貼付された商品がどのような理由で値引きされたのかを登録することができる値引ラベルを発行することができる。
【００４２】
また、ＰＯＳレジスタ２は、ラベルプリンタ１が発行した値引ラベルに印字されたバーコードを読み取ることで、値引理由を特定することができる。従って、ＰＯＳレジスタ２は、商品登録の際に値引ラベルに印字されたバーコードを読み取るため、買上情報に値引コードをＪＡＮコード等と関連付けて記憶させることができる。これにより、店舗では、ストアサーバ等を用いてＰＯＳレジスタ２のＨＤＤ２０２が記憶している買上情報を分析し、商品別や値引コード別に実績分析を行うことができる。すなわち、店舗では、値引理由の実績データをさまざまな角度から分析することで、より効率的なロス管理を図ることができる。
【００４３】
また、ラベルプリンタ１とＰＯＳレジスタ２とをオンラインで接続した場合、ラベルプリンタ１が発行した値引ラベルの枚数と、ＰＯＳレジスタ２が実際に読み取った値引ラベルの枚数とを比較することができるため、値引きされた商品のうち、実際に購入された商品の割合を算出することができる。このため、より統計に基づいた綿密な値引戦略を行うことができる。
【００４４】
以上、図面を参照して本発明の実施形態について詳しく説明してきたが、具体的な構成は上述のものに限られることはなく、この発明の要旨を逸脱しない範囲内において様々な設計変更等をすることが可能である。
【００４５】
例えば、ラベルプリンタ１が発行する値引ラベルに印字するバーコードの形式は、値引コードを含めることができる形式であればどのような形式でも良い。
【００４６】
また、上述した実施形態では、ラベルプリンタ１が発行するラベルとして値引ラベルを例に説明したが、これに限らない。例えば、図１０に示すような商品ラベルに印字するバーコードに値引コードを含めるようにしてもよい。図１０は、本実施形態における値引コードを含んだ商品ラベルを示した概略図である。図示する例では、商品ラベルの上段に値引コードを含んだバーコード１００１が印字されており、商品ラベルの中段に商品名や価格など、商品の情報１００２が印字されており、商品ラベルの下段に販売店名や住所などの販売店の情報１００３が印字されている。また、図１０に示したように、商品ラベルに値引コードを含んでもよいため、本実施形態のラベルプリンタ１は、スーパーマーケットのバックヤード等に配置されているラベル発行装置であってもよい。
【００４７】
また、上述した実施形態では、値引コードは１桁の数字を用いたが、これに限らず、文字や２桁以上の数字であっても良い。
【００４８】
また、値引理由を大分類と小分類とに分けて設定するようにしてもよい。例えば、大分類として「見切り品」の値引コードを「１」とする。また、小分類として「１５時の見切り」を「１」、「閉店２時間前の見切り」を「２」等と設定する。これにより、より詳細な実績分析を行うことができる。
【００４９】
値引理由を入れるバーコード体系として、例えばＧＳ１  ＤａｔａｂａｒのＡＩコード（アプリケーション識別子）で内部使用として定義されており、定義されていない値を扱う必要がある場合に、企業内部で独自に使用することができるコードである「（９１）〜（９９）」のいずれかに値引理由として使用することが考えられる。図７に示した例では、（０１）は１４桁でＪＡＮコードに対応する商品識別番号を示す。また、現時点では、値引情報および値引理由に関しては、ＡＩコードが定義されていないため、本実施形態では内部コードとして、（９７）を値引情報として使用し、（９８）を値引理由として使用している。なお、将来、値下情報に関して定義された場合、定義されたコードを使用してもよい。
【００５０】
具体的には、本実施形態ではＡＩ（９７）のデータ桁数を５桁とし、５桁の数値のうち、１桁目の数値である０、１、２、３は、それぞれ下記の値下タイプを示す。
０：値下なし
１：金額値引き
２：％割引
３：値下後の販売価格
【００５１】
また、２〜５桁目は、それぞれ値下タイプに連動して下記のように意味が異なる。例えば、２〜５桁目の値が同じ１０でも、値下タイプによって下記のようになっている。
値下タイプが１の場合、１０円値引、
値下タイプが２の場合、１０％割引、
値下タイプが３の場合、１０円で販売、
２〜５桁目の値は右詰で表示するようになっている。
なお、ＧＳ１  Ｄａｔａｂａｒ規格のバーコードに限定されるものではなく、何れのバーコード規格でもよい。
【００５２】
また、上述した実施形態では、都度値引理由を入力していたが、これに限られるものではない。例えば、同じ値引理由を有する商品が大量にあった場合などは、入力時に、あらかじめ前回の値引理由区分の番号が選択されるように記憶しておく、又はあらかじめ前回と同じ値引理由として入力を省略するができる連続発行モードなどを設けておくことで、より効率的に値引作業を行なうことが可能となる。
【００５３】
また、既に値引理由が入っているバーコードを更に読み取った場合、複数回値引が行われたときに、その値引理由及び値引きの順番を記憶しておくことができる。これは、１桁ずつ値引理由を組み合わせることで実現させることも可能とする。例えば、図６に示した６つの値引理由を設定している場合、「１１」の場合、最初の値引は「見切り」で２回目も「見切り」をしたことを示し、「１２」の場合、最初の値引は「見切り」で２回目は「一部破損」であったことを示し、「２１」の場合、最初の値引は「一部破損」で２回目が「見切り」であったことを示す、といった例が挙げられる。
【００５４】
このように、複数回値引が行われたときに、その値引理由および値引の順番を記憶した場合、ストアサーバー等を用いて買上情報を分析し、値引の回数や順番といった要素を加えた値引理由の実績データを得ることができ、より効率的なロス管理を測ることができるようになる。
【００５５】
また、値引理由を図６に示した６つについて設定している場合、２回値引が行われるときの値引理由の順番は６×６＝３６通りの組み合わせがあることになるので、例えば０１〜０６を一回目の値引理由とし、０７（見切り、見切り）から４２（タイムセール、タイムセール）までの４２個の区分コードを１回目、２回目の値引理由として設定してもよい。また、値引の順番が必要なく、値引理由とその回数のみ知りたい場合、その組み合わせは６＋６×５÷２＝２１通りあるので、例えば０７から２７までの２１個の区分コードに割り振ることで、値引理由とその回数を判別することができるようになる。また、３回以上値引が行われた場合は、値引コードの桁数を増やすことで対応することができるほか、値引コードが２桁の場合、最新の２回分、又は最初と最後の値引理由のみを記憶するといった設定にすることも可能である。
【００５６】
また、上述した実施形態では、ＪＡＮコードが付された商品について説明したが、これに限られるものではなく、ＮｏｎＰＬＵタイプのインストアマーキングにおいても実施可能である。
【００５７】
また、上述した実施形態では値引バーコードを発行する例を用いて説明したが、これに限らない。例えば、タイムセール用の商品など、予め値引理由がわかっている場合、値引バーコードではなく最初に発行する商品ラベルに値引理由を加えておくようにしてもよい。具体的には、精肉や鮮魚部門における通常の値付ラベルプリンタにおいて、ＲＡＭから商品ファイルを呼出し、値引情報と値引理由を入力し、値引き情報と値引理由を含むバーコードを印字したラベルを発行してもよい。
【符号の説明】
【００５８】
１・・・ラベルプリンタ、２・・・ＰＯＳレジスタ、３・・・ファイル管理装置、４・・・通信回線、１０・・・販売管理システム、１１，２０１・・・ＣＰＵ、１２・・・ＲＯＭ、１３，２０３・・・ＲＡＭ、１４・・・表示部、１５・・・操作部、１６・・・印字制御部、１７・・・ラベル印字機構部、１８，２１２・・・通信部、１９，２１３・・・バーコード読み取り部、１９０・・・ラベル発行口、２０２・・・ＨＤＤ、２０４・・・印字部、２０５・・・液晶タッチパネル、２０６・・・カードリーダ、２０７・・・客用表示器、２０８・・・ドロア、２０９・・・入力キー、２１０・・・時計、２１１・・・ブザー
【図１】
2013228816.tif 000003
【図２】
2013228816.tif 000004
【図３】
2013228816.tif 000005
【図４】
2013228816.tif 000006
【図５】
2013228816.tif 000007
【図６】
2013228816.tif 000008
【図７】
2013228816.tif 000009
【図８】
2013228816.tif 000010
【図９】
2013228816.tif 000011
【図１０】
2013228816.tif 000012